(57)【要約】  【課題】記録密度が標準的なものと、高密度のものとで、エラー訂正符号化のバーストエラー訂正能力を切り替え、それによって、高記録密度でも信頼性を保持する。  【解決手段】選択回路６６は、ディスクＩＤに基づいてパリティ生成回路６５ａおよびパリティ生成回路６５ｂの何れかを選択する。パリティ生成回路６５ａが選択された場合には、（８×１３０）バイトのデータシンボルの２次元配列に対して、横方向の１３０バイト毎に〔１４６、１３０、１７〕のリード・ソロモン符号の符号化を行い、１６バイトのパリティを生成する。パリティ生成回路６５ｂが選択された場合には、（１６×１３０）バイトのデータシンボルの２次元配列に対して、横方向の１３０バイト毎に〔１４６、１３０、１７〕のリード・ソロモン符号の符号化を行い、１６バイトのパリティを生成する。エラー訂正符号を行うデータブロックのサイズを切り換える。【選択図】図２
2006196176.tif 000002
【特許請求の範囲】
【請求項１】
記録媒体に対してディジタルデータを記録するデータ記録装置において、
データの複数シンボルが２次元配列されたブロックを形成し、上記ブロックの第１の方向にエラー訂正符号化を行うエラー訂正符号化手段と、
上記ブロックの第２の方向にエラー訂正符号化されたデータを記録媒体に記録する記録手段とを有し、
上記エラー訂正符号化手段は、
第１のデータ量のブロック毎に上記ディジタルデータに対し、エラー訂正符号化を行う第１のエラー訂正符号化処理手段と、
上記第１のデータ量より多い第２のデータ量のブロック毎に上記ディジタルデータに対し、エラー訂正符号化を行う第２のエラー訂正符号化処理手段と、
記録媒体におけるディジタルデータの記録密度として記録密度情報が第１の記録密度を示すときは、上記第１のエラー訂正符号化処理手段の出力を上記ディジタルデータとして選択し、上記記録密度情報が第２の記録密度を示す時は、上記第２のエラー訂正符号化処理手段の出力を上記ディジタルデータとして選択する選択手段とを有する
ことを特徴とするデータ記録装置。
【請求項２】
請求項１に記載のデータ記録装置において、
上記記録密度情報を入力する記録密度入力手段を更に有することを特徴とするデータ記録装置。
【請求項３】
請求項１に記載のデータ記録装置において、
上記記録媒体より上記記録密度情報を検出する記録密度検出手段を更に有することを特徴とするデータ記録装置。
【請求項４】
データの複数シンボルが２次元配列されたブロックの第１の方向にエラー訂正符号化がなされ、
第１のデータ量と上記第１のデータ量より多い第２のデータ量の一方に上記ブロックのデータ量が設定可能とされ、記録媒体におけるディジタルデータの記録密度として記録密度情報が第１の記録密度を示す時に、上記第１のデータ量のブロック毎に上記エラー訂正符号化を行い、上記記録密度情報が上記第１の記録密度より高い第２の記録密度を示す時には、上記第２のデータ量のブロック毎に上記エラー訂正符号化を行い、
上記ブロックの第２の方向にエラー訂正符号化されたデータが記録された記録媒体からデータを再生するデータ再生装置において、
記録媒体からディジタルデータを読出す読出し手段と、
上記読み出されたディジタルデータの記録密度を示す記録密度情報を検出する記録密度検出手段と、
上記エラー訂正符号化されたディジタルデータのエラー訂正復号化を行い、ディジタルデータを出力するエラー訂正復号化手段とを有し、
上記エラー訂正復号化手段は、
上記第１のデータ量のブロック毎に上記エラー訂正符号化ディジタルデータに対し、エラー訂正復号化を行う第１のエラー訂正復号化処理手段と、
上記第２のデータ量のブロック毎に上記エラー訂正符号化ディジタルデータに対し、エラー訂正復号化を行う第２のエラー訂正復号化処理手段と、
上記記録密度情報が上記第１の記録密度を示す時は、上記第１のエラー訂正復号化処理手段の出力を上記ディジタルデータとして選択し、上記記録密度情報が上記第２の記録密度を示す時は、上記第２のエラー訂正復号化処理手段の出力を上記ディジタルデータとして選択する選択手段とを有することを特徴とするデータ再生装置。
【請求項５】
記録媒体に対してディジタルデータを記録するデータ記録方法において、
データの複数シンボルが２次元配列されたブロックを形成し、上記ブロックの第１の方向にエラー訂正符号化を行い、
上記ブロックの第２の方向にエラー訂正符号化されたデータを記録媒体に記録し、
第１のデータ量と上記第１のデータ量より多い第２のデータ量の一方に上記ブロックのデータ量が設定可能とされ、
記録媒体におけるディジタルデータの記録密度として記録密度情報が第１の記録密度を示す時に、上記第１のデータ量のブロック毎に上記エラー訂正符号化を行い、上記記録密度情報が上記第１の記録密度より高い第２の記録密度を示す時には、上記第２のデータ量のブロック毎に上記エラー訂正符号化を行うことを特徴とするデータ記録方法。
【請求項６】
データの複数シンボルが２次元配列されたブロックの第１の方向にエラー訂正符号化がなされ、
第１のデータ量と上記第１のデータ量より多い第２のデータ量の一方に上記ブロックのデータ量が設定可能とされ、記録媒体におけるディジタルデータの記録密度として記録密度情報が第１の記録密度を示す時に、上記第１のデータ量のブロック毎に上記エラー訂正符号化を行い、上記記録密度情報が上記第１の記録密度より高い第２の記録密度を示す時には、上記第２のデータ量のブロック毎に上記エラー訂正符号化を行い、
上記ブロックの第２の方向にエラー訂正符号化されたデータが記録された記録媒体からデータを再生するデータ再生方法において、
記録媒体からディジタルデータを読出し、
上記読み出されたディジタルデータの記録密度を示す記録密度情報を生成し、
上記記録密度情報が上記第１の記録密度を示す時には、上記第１のデータ量のブロック毎に上記エラー訂正符号化ディジタルデータのエラー訂正復号化を行い、上記記録密度情報が上記第１の記録密度より高い第２の記録密度を示す時には、上記第２のデータ量のブロック毎に上記エラー訂正符号化ディジタルデータのエラー訂正復号化を行うことを特徴とするデータ再生方法。
【請求項７】
複数の記録トラックを有し、上記複数の記録トラックへのアクセスに際し、角速度一定で回転駆動されるディスク状記録媒体であって、
データの複数シンボルが２次元配列され、第１のデータ量を有するブロックの第１の方向にエラー訂正符号化がなされ、上記ブロックの第２の方向にエラー訂正符号化された第１のディジタルデータが記録された第１の記録トラックと、
上記第１のデータ量よりも多い第２のデータ量を有するブロックの上記第１の方向に上記エラー訂正符号化がなされ、上記ブロックの上記第２の方向にエラー訂正符号化された第２のディジタルデータが記録され、上記第１の記録トラックよりも記録密度が高い第２の記録トラックとを有することを特徴とするディスク状記録媒体。
【請求項８】
半径方向位置によって規定される少なくとも２つの記録領域に分割され、
一方の記録領域には、データの複数シンボルが２次元配列され、第１のデータ量を有するブロックの第１の方向にエラー訂正符号化がなされ、上記ブロックの第２の方向にエラー訂正符号化された第１のディジタルデータが記録され、
上記一方の記録領域よりも記録密度が高い他方の記録領域には、上記第１のデータ量よりも多い第２のデータ量を有するブロックの上記第１の方向に上記エラー訂正符号化がなされ、上記ブロックの上記第２の方向にエラー訂正符号化された第２のディジタルデータが記録されることを特徴とするディスク状記録媒体。
【請求項９】
複数の記録層を有し、
一方の記録層には、データの複数シンボルが２次元配列され、第１のデータ量を有するブロックの第１の方向にエラー訂正符号化がなされ、上記ブロックの第２の方向にエラー訂正符号化された第１のディジタルデータが記録され、
上記一方の記録層よりも記録密度が高い他方の記録層には、上記第１のデータ量よりも多い第２のデータ量を有するブロックの上記第１の方向に上記エラー訂正符号化がなされ、上記ブロックの上記第２の方向にエラー訂正符号化された第２のディジタルデータが記録されることを特徴とするディスク状記録媒体。
【発明の詳細な説明】
【技術分野】
【０００１】
この発明は、異なるフォーマットのデータ記録媒体、特に、異なるセクタサイズのデータ記録媒体の間の信号処理を簡単化できるデータ記録／再生装置および方法、並びにディスク状記録媒体に関する。
【背景技術】
【０００２】
コンピュータの外部記憶装置として、大容量、高速アクセスの利点から光ディスクドライブが注目され、既に、ＣＤ−ＲＯＭ（またはＣＤ−Ｉ（ＣＤ Interactive) ）ドライブ、ＭＯ（イレーザブルディスクの一つである光磁気ディスク）ドライブの採用は、急速に拡がりつつある。これら以外にも、ディスク直径が２．５インチのＭＤ（ミニディスク；イレーザブルディスク）も提案されている。さらに、映像記憶媒体として、ＤＶＤ（ディジタル・ビデオ・ディスク）が開発されつつある。
【０００３】
ＤＶＤは、ＣＤと同一の直径の再生専用ディスク、またはＭＯディスクあるいは相変化型ディスクとされた記録／再生可能な光ディスクであって、ＭＰＥＧ等で圧縮した映像情報を再生、または記録／再生できるディスクである。ＤＶＤでは、レーザ光の短波長化の進展と、対物レンズのＮＡの増大と共に、ディジタル変調およびエラー訂正符号化の処理の改良によって、記録密度がより一層、向上され、単層ディスクの場合でも、データ記憶容量が約３．７Ｇバイトと膨大なものである。ＣＤ、ＭＤが当初は、ディジタルオーディオディスクとして開発され、その後、コンピュータの外部記憶媒体としても利用されるのと同様に、より大容量のＤＶＤもコンピュータの外部記憶媒体として利用されることが期待されている。
【発明の開示】
【発明が解決しようとする課題】
【０００４】
ＤＶＤの例のように、技術の進歩により記録媒体の高密度化が進み、そして、それがあるレベル以上実現可能となると、新しい記録媒体や、記録／再生装置が開発される。既存の記録媒体と、新たな高密度記録媒体の間の互換性を考慮して、記録／再生される信号フォーマットを同一にすると、媒体上の欠陥（ゴミ、傷等）によって生じるデータエラーのバイト数が増大し、信頼性が低下する問題がある。
【０００５】
ＣＤ等の既存の光ディスクでは、レーザの波長を６３５ｎｍとし、対物レンズのＮＡを０．５２とすると、約０．３μｍ／ビットの線密度が可能である。この場合、トラックピッチか例えば０．８４μｍとされる。一方、近い将来に実用化されるであろう高密度光ディスクにおいて、レーザの波長を青色レーザの４４０ｎｍとし、対物レンズのＮＡを０．６とすると、約０．１８μｍ／ビットの線密度が可能である。すなわち、１ビットのディスク媒体上の長さが６０％程度に縮小する。このことは、既存の光ディスクにおいて５００バイト相当の媒体の欠陥が高密度光ディスクでは、８３３バイト相当の欠陥になることを意味する。このことは、エラーレートが増大するというよりは、バーストエラー長が増大する結果をもたらす。
【０００６】
そこで、高密度光ディスクに関するエラー訂正符号化、記録／再生される信号フォーマットを既存のものと異ならせることが考えられるが、その結果、新たにハードウエアを開発、設計する必要が生じ、また、互換性が損なわれる。
【０００７】
この発明の目的は、既存のデータ記録媒体と、高密度のデータ記録媒体というように、記録密度の異なる複数のデータ記録媒体に対し、ハードウエアの規模が小さく、アクセス性を良好とできるデータ記録／再生装置および方法、並びにディスク媒体を提供することにある。
【課題を解決するための手段】
【０００８】
上述した課題を解決するために、この発明は、記録媒体に対してディジタルデータを記録するデータ記録装置において、
データの複数シンボルが２次元配列されたブロックを形成し、ブロックの第１の方向にエラー訂正符号化を行うエラー訂正符号化手段と、
ブロックの第２の方向にエラー訂正符号化されたデータを記録媒体に記録する記録手段とを有し、
エラー訂正符号化手段は、
第１のデータ量のブロック毎にディジタルデータに対し、エラー訂正符号化を行う第１のエラー訂正符号化処理手段と、
第１のデータ量より多い第２のデータ量のブロック毎にディジタルデータに対し、エラー訂正符号化を行う第２のエラー訂正符号化処理手段と、
記録媒体におけるディジタルデータの記録密度として記録密度情報が第１の記録密度を示すときは、第１のエラー訂正符号化処理手段の出力をディジタルデータとして選択し、記録密度情報が第２の記録密度を示す時は、第２のエラー訂正符号化処理手段の出力をディジタルデータとして選択する選択手段とを有する
ことを特徴とするデータ記録装置である。また、この発明は、上述のように、ディジタルデータを記録する記録方法である。
【０００９】
この発明は、データの複数シンボルが２次元配列されたブロックの第１の方向にエラー訂正符号化がなされ、
第１のデータ量と第１のデータ量より多い第２のデータ量の一方にブロックのデータ量が設定可能とされ、記録媒体におけるディジタルデータの記録密度として記録密度情報が第１の記録密度を示す時に、第１のデータ量のブロック毎にエラー訂正符号化を行い、記録密度情報が第１の記録密度より高い第２の記録密度を示す時には、第２のデータ量のブロック毎にエラー訂正符号化を行い、
ブロックの第２の方向にエラー訂正符号化されたデータが記録された記録媒体からデータを再生するデータ再生装置において、
記録媒体からディジタルデータを読出す読出し手段と、
読み出されたディジタルデータの記録密度を示す記録密度情報を検出する記録密度検出手段と、
エラー訂正符号化されたディジタルデータのエラー訂正復号化を行い、ディジタルデータを出力するエラー訂正復号化手段とを有し、
エラー訂正復号化手段は、
第１のデータ量のブロック毎にエラー訂正符号化ディジタルデータに対し、エラー訂正復号化を行う第１のエラー訂正復号化処理手段と、
第２のデータ量のブロック毎にエラー訂正符号化ディジタルデータに対し、エラー訂正復号化を行う第２のエラー訂正復号化処理手段と、
記録密度情報が第１の記録密度を示す時は、第１のエラー訂正復号化処理手段の出力をディジタルデータとして選択し、記録密度情報が第２の記録密度を示す時は、第２のエラー訂正復号化処理手段の出力をディジタルデータとして選択する選択手段とを有することを特徴とするデータ再生装置である。また、この発明は、上述のように、ディジタルデータを再生する再生方法である。
【００１０】
この発明は、複数の記録トラックを有し、複数の記録トラックへのアクセスに際し、角速度一定で回転駆動されるディスク状記録媒体であって、
データの複数シンボルが２次元配列され、第１のデータ量を有するブロックの第１の方向にエラー訂正符号化がなされ、ブロックの第２の方向にエラー訂正符号化された第１のディジタルデータが記録された第１の記録トラックと、
第１のデータ量よりも多い第２のデータ量を有するブロックの第１の方向にエラー訂正符号化がなされ、ブロックの第２の方向にエラー訂正符号化された第２のディジタルデータが記録され、第１の記録トラックよりも記録密度が高い第２の記録トラックとを有することを特徴とするディスク状記録媒体である。
この発明は、半径方向位置によって規定される少なくとも２つの記録領域に分割され、
一方の記録領域には、データの複数シンボルが２次元配列され、第１のデータ量を有するブロックの第１の方向にエラー訂正符号化がなされ、ブロックの第２の方向にエラー訂正符号化された第１のディジタルデータが記録され、
一方の記録領域よりも記録密度が高い他方の記録領域には、第１のデータ量よりも多い第２のデータ量を有するブロックの第１の方向にエラー訂正符号化がなされ、ブロックの第２の方向にエラー訂正符号化された第２のディジタルデータが記録されることを特徴とするディスク状記録媒体である。
この発明は、複数の記録層を有し、
一方の記録層には、データの複数シンボルが２次元配列され、第１のデータ量を有するブロックの第１の方向にエラー訂正符号化がなされ、ブロックの第２の方向にエラー訂正符号化された第１のディジタルデータが記録され、
一方の記録層よりも記録密度が高い他方の記録層には、第１のデータ量よりも多い第２のデータ量を有するブロックの第１の方向にエラー訂正符号化がなされ、ブロックの第２の方向にエラー訂正符号化された第２のディジタルデータが記録されることを特徴とするディスク状記録媒体である。
【発明の効果】
【００１１】
この発明は、データの記録密度が異なる場合に、高密度の場合では、ブロックサイズを標準密度の場合と比して大きくするので、高密度の場合でも、標準密度の場合と同等のバーストエラー訂正を行なうことが可能となり、データ記録媒体としての信頼性を向上することができる。また、この発明は、ＣＡＶのディスクや二つの異なる記録密度のディスクを記録／再生できるディスクドライブの実現、二つの異なる記録密度の領域が設けられたマルチセッションディスクの実現等を可能とすることができる。
【発明を実施するための最良の形態】
【００１２】
以下、この発明の一実施の形態について図面を参照して説明する。図１は、この発明による光ディスク記録／再生システムの一実施の形態の概略的構成を示す。なお、本システムは、光ディスク記録系５４と、光ディスク再生系５５から成る。１で示す入力端子から記録すべきディジタルデータ例えばコンピュータデータが供給される。この入力ディジタルデータは、記録／再生されるデータの単位であるセクタ毎に区切られ、必要に応じてセクタに対してデータシンクおよびヘッダが付加されたものである。
【００１３】
入力ディジタルデータがエラー訂正符号のエンコーダ、記録処理回路等を含む記録系５４に供給され、記録系５４からの記録データが図示しないが、ドライブ回路を介して光ピックアップに供給され、光ディスク２０に記録される。図中、ディスク２０のＴＯＣで示す領域は、ＴＯＣ(Table of Contents) 情報が記録された領域であり、ここに、ディスクＩＤが記録される。ディスク２０が収納されたカートリッジ５９ａは、ディスク２０を保護するためのものである。このカートリッジ５９ａには、半導体メモリ５９ｂが設けられており、ここにディスクＩＤを記憶させてもよい。
【００１４】
光ディスク２０としては、ＷＯ（ライト・ワンス）、ＭＯ、相変化型等の記録／再生可能な光ディスクが使用される。また、この発明は、光ディスク２０のドライブ装置に対して適用できるのは勿論のこと、ＣＤ−ＲＯＭ等の再生専用ディスクのマスタリングシステムに対しても適用できる。この発明の一実施の形態は、光ディスク２０として、記録密度が異なる２種類のものを選択的に使用することを許容するか、または、現行のディスクのみならず、将来その出現が見込まれる高密度光ディスクに対応可能とするものである。
【００１５】
光ディスク２０から読み取られた再生データが図示しないが再生アンプ、クロック抽出回路等を経て再生系５５に供給される。再生系５５には、再生処理回路、エラー訂正符号のデコーダ等が含まれる。再生系５５から出力端子１６に、光ディスク２０の再生データが取り出される。
【００１６】
図１における光ディスク記録系５４の一例について、図２を参照して説明する。フォーマット化されたデータが半導体メモリ（ＲＡＭ）２１に書込まれる。メモリ２１に関連してパリティ生成回路６５ａ、６５ｂが選択回路６６を介して設けられている。また、メモリ２１を制御するメモリ制御回路６７がメモリ２１に接続されている。
【００１７】
これらのメモリ制御回路６７、ＴＯＣジェネレター２５および選択回路６６には、キーボード５６からユーザーのキー操作によって、ＣＰＵ５７に発生したディスクＩＤが供給される。選択回路６６は、このディスクＩＤに基づいてパリティ生成回路６５ａおよびパリティ生成回路６５ｂの何れかを選択し、メモリ２１と接続する。そして、このパリティ生成回路６５ａが選択された場合には、図４Ａにおける（８×１３０＝１０４０）バイトのデータシンボルの２次元配列に対して、横方向の１３０バイト毎に〔１４６、１３０、１７〕のリード・ソロモン符号の符号化を行い、１６バイトのパリティを生成する。また、パリティ生成回路６５ｂが選択された場合には、図４Ｂにおける（１６×１３０＝２０８０）バイトのデータシンボルの２次元配列に対して、横方向の１３０バイト毎に〔１４６、１３０、１７〕のリード・ソロモン符号の符号化を行い、１６バイトのパリティを生成する。
【００１８】
このようにディスクＩＤに応答してメモリ制御回路６７、選択回路６６の制御を切り換えることによって、エラー訂正符号を行うデータブロックのブロックサイズを切り換えることができる。
【００１９】
そして、パリティが付加された図４Ａ若しくは図４Ｂに示すデータブロックが、スイッチング回路２４を介してディジタル変調回路２６に供給される。スイッチング回路２４は、エラー訂正符号化出力とＴＯＣデータ発生回路２５からのＴＯＣデータとを切り換えてディジタル変調回路２６に供給する。ディジタル変調回路２６は、例えば１バイト（８ビット）のデータシンボルを１６ビットのコードワードに、予め定められたテーブルに従ってマッピングすることによって、直流分の少ない変調出力を生成する。勿論、ＣＤにおけるＥＦＭ、８ビットのデータシンボルを１５ビットのコードワードに変換する８−１５変調、等をディジタル変調として採用することができる。ディジタル変調回路２６の出力がシンク付加回路２７に供給される。シンク付加回路の出力がドライブ回路を介して光ピックアップに供給され、光ディスク２０に記録される。これらのシンクとしては、変調されたデータ中に現れることがない、特異なビットパターンものが使用される。
【００２０】
次に、データのブロックサイズを変更して、エラー訂正復号化を行い、記録された記録媒体を再生する再生系５５の一例を図３に示す。再生データがシンク分離回路３１に供給され、図示しないが、シンクと対応するシンク検出信号がシンク分離回路３１から発生し、これらのシンク検出信号がタイミング生成回路に供給され、再生データと同期したセクタパルス等の種々のタイミング信号が生成される。シンク分離回路３１に対して、ディジタル復調回路３２が接続される。ディジタル変調回路２６と逆の処理によって、コードワードがデータシンボルに戻されたデータが復調回路３２から発生する。
【００２１】
ディジタル復調回路３２の出力データがＴＯＣ抽出回路３３を介して半導体メモリ（ＲＡＭ）３５に書き込まれる。ＴＯＣ抽出回路３３は、ディスク装着時の初期状態で読み取られたＴＯＣデータを抽出する。抽出されたＴＯＣデータがＴＯＣデコーダ３４に供給される。ＴＯＣデコーダ３４によって、ＴＯＣデータが復号され、種々の制御情報がＣＰＵ５８に供給される。その１つとしてディスクＩＤも得られる。
【００２２】
メモリ３５にメモリ制御回路３７が結合される。また、選択回路６９を介して、エラー訂正回路６８ａ若しくは６８ｂがメモリ３５に結合される。この選択回路６９は、ＣＰＵ５８からのディスクＩＤによって、エラー訂正回路６８ａおよび６８ｂの何れか一方をメモリ３５に結合する。そして、エラー訂正回路６８ａが選択された場合には、図４Ａにおける（８×１３０＝１０４０）バイトのデータシンボルの２次元配列に対して、横方向の１３０バイト毎に〔１４６、１３０、１７〕のリード・ソロモン符号の符号化を行い、１６バイトのパリティを生成し、１０４０バイトの２次元配列の各行に付加した図４Ａに示すデータブロックのエラー訂正がなされる。
【００２３】
また、エラー訂正回路６８ｂが選択された場合には、図４Ｂにおける（１６×１３０＝２０８０）バイトのデータシンボルの２次元配列に対して、横方向の１３０バイト毎に〔１４６、１３０、１７〕のリード・ソロモン符号の符号化を行い、１６バイトのパリティを生成し、２０８０バイトの２次元配列の各行に付加した図４Ｂに示すようなデータブロックに対するエラー訂正がなされる。メモリ３５から読出され、エラー訂正処理がなされたデータが出力端子１６に取り出される。
【００２４】
このようにディスクＩＤに応答してメモリ制御回路３７、選択回路６９の制御を切り換えることによって、エラー訂正を行うデータブロックのブロックサイズを切り換えることが可能となる。
【００２５】
図４Ａは、標準密度の光ディスク用のブロック構成を示す。（８×１３０＝１０４０）バイトのデータシンボルの２次元配列に対して、横方向の１３０バイト毎に〔１４６，１３０，１７〕のリード・ソロモン符号の符号化を行い、１６バイトのパリティを生成する。（１０４０＝１０２４＋１６）バイトであり、データシンボルの量が略１Ｋバイトである。このリード・ソロモン符号は、同一の符号系列（１４６バイト）内の８バイトエラーまでを訂正できる。また、光ディスク等のデータ記録媒体に対しては、縦方向に順次データを記録し、また、同様の順序で再生する。従って、図４Ａのデータ構成では、斜線で示すように、（８×８）バイトを超えるバーストエラーが発生すると、エラー訂正不可能となる。
【００２６】
図４Ｂは、高密度の光ディスク用のブロック構成を示す。（１６×１３０＝２０８０）バイトのデータシンボルの２次元配列に対して、横方向の１３０バイト毎に〔１４６，１３０，１７〕のリード・ソロモン符号の符号化を行い、１６バイトのパリティを生成する。（２０８０＝２０４８＋３２）バイトであり、データシンボルの量が略２Ｋバイトである。このリード・ソロモン符号は、同一の符号系列（１４６バイト）内の８バイトエラーまでを訂正できる。また、光ディスク等のデータ記録媒体に対しては、縦方向に順次データを記録し、また、同様の順序で再生する。従って、図４Ｂのデータ構成では、斜線で示すように、（１６×８）バイトを超えるバーストエラーが発生すると、エラー訂正不可能となる。
【００２７】
このように、ブロックサイズを大きくすることによって、バーストエラーに対するエラー訂正能力を向上することができる。従って、高密度光ディスク用のエラー訂正符号のブロックサイズを標準密度のものに比して大きくすることによって、信頼性の向上を図ることができる。
【００２８】
さらに、この発明は、同一の光ディスク中に、異なる記録密度の領域を設ける場合に対しても適用できる。図５Ａに示すように、ディスクの内周側の領域Ｒａの記録密度に比して、外周側の領域Ｒｂの記録密度が高い場合には、領域Ｒａのエラー訂正符号化のインターリーブ長（またはブロックサイズ）に比して、領域Ｒｂのエラー訂正符号化のインターリーブ長（またはブロックサイズ）を大きくするようになされる。
【００２９】
また、ＣＡＶのディスクのように角速度一定で回転駆動してディスク上のディジタルデータがアクセスされるディスクでは、外周側のトラックに比べ、内周側のトラックとこのトラックをアクセスするヘッドとの相対線速度が遅くなり、内周側の記録密度が必然的に高くなる。このような場合には、内周側でのブロックサイズを外周側でのブロックサイズより大きくするようになされる。すなわち、内周側では記録密度が高くなるので、内周側でのバーストエラー長に比較して外周側のバーストエラー長が長くなるが、内周側でのブロックサイズを外周側でのブロックサイズに比べて大きくすることによって、バーストエラー長の長くなる内周側でのバーストエラー訂正能力を高められる。また、比較的記録密度の低い外周側では、内周側のブロックサイズと比べ、外周側でのブロックサイズを小さくすることによって、書換え単位のデータの前後に他のデータの記録を禁止する領域が短くなり、内周側に合わせたブロックサイズを用いるのに比較して、実質的な記録密度を増加することができる。
【００３０】
さらに、この発明は、多層光ディスクにおいて、各層の記録密度が異なる場合に対しても適用できる。図５Ｂに示すように、多層例えば２層光ディスクは、ディスクの厚み方向にデータ記録層ＬａおよびＬｂが形成され、光ピックアップＯＰのフォーカスを各記録層に合わせることによって、各層の記録／再生を可能としている。例えば読み取り側に近い記録層Ｌｂの方が記録層Ｌａに比して、記録密度を高くしている場合には、各記録層に対するエラー訂正符号化の処理が上述したように切り替えられる。
【図面の簡単な説明】
【００３１】
【図１】この発明による光ディスク記録／再生システムの一実施の形態の全体的なブロック図である。
【図２】図１中の記録系の一例のブロック図である。
【図３】図１中の再生系の一例のブロック図である。
【図４】この発明の一実施の形態の説明に用いる略線図である。
【図５】この発明の応用例を説明するための略線図である。
【符号の説明】
【００３２】
５７  ＣＰＵ
６５ａ，６５ｂ  パリティ生成回路
６６，６９  選択回路
３７，６７  メモリ制御回路
６８ａ，６８ｂ  エラー訂正回路
【図１】
2006196176.tif 000003
【図２】
2006196176.tif 000004
【図３】
2006196176.tif 000005
【図４】
2006196176.tif 000006
【図５】
2006196176.tif 000007